(57)【特許請求の範囲】
【請求項１】
遊技領域を流下する球を流入させるための流入開口と、
該流入開口を進退し、その進出状態において前記球が通過可能な通過開口を有する上側進退部と、
該上側進退部の下方に対向して配置されて該流入開口を進退し、その進出状態において前記球を受ける受け面を有する下側進退部と、
前記上側進退部材と該下側進退部とを同期させて進退移動させる駆動手段と、を有し、
前記進出状態において前記通過開口を通過した前記球を前記受け面で受けて前記流入開口から流入可能とすると共に、退避状態において前記上側進退部と前記下側進退部とが協働して前記流入開口の実質的な開口寸法を前記球の直径未満とすることにより該球を前記流入開口から流入不可とする遊技機用の入球具。
【請求項２】
前記進退移動に際して前記上側進退部と前記下側進退部との対向距離を変化させ、前記進出状態において該対向距離を前記球の直径より大きく、かつ、前記退避状態において該対向距離を前記球の直径より小さくする請求項１に記載の遊技機用の入球具。
【請求項３】
請求項１又は請求項２に記載の遊技機用の入球具と、
前記遊技領域をその表面に画定する遊技盤と、
該遊技盤を遊技者にとって視認可能となるように保持する枠体と、
前記遊技盤に対してその前方に一定距離以上離間して配置された前面透明板と、
前記遊技領域に向けて前記球を発射する発射ユニットと、
前記球を貯留する貯留皿と、を有する遊技機。
【発明の詳細な説明】
【技術分野】
【０００１】
本発明は、遊技機用の入球具及び遊技機に係り、特に、特に、省スペースで入球率の調整を容易とすることのできる遊技機用の入球具等に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このパチンコ機の遊技領域に配置される入賞口には、例えば普通入賞口、始動入賞口、大入賞口等の様々なものがある。そのうち、始動入賞口や大入賞口は、球の入賞が容易（又は可能）な状態と困難（又は不可能）な状態とに変更可能な開閉部材を有する変動入賞役物によって構成されることがある。
【０００４】
例えば、始動入賞口を構成する役物としてよく用いられる変動入賞役物（いわゆる、電動チューリップ。）は、入賞口上方の左右両側に揺動開閉可能な開閉羽根部材が配置され、その開閉羽根の開閉により入賞容易／入賞困難の状態を作り出している。また、大入賞口を構成する役物としてよく用いられる変動入賞役物（いわゆる、アタッカー。）は、入賞口の前方に前後開閉可能な開閉扉部材が配置され、その扉の開閉により入賞容易／入賞困難の状態を作り出している。
【０００５】
このように、常に球を入賞可能な状態とするのでなく、遊技の状況に応じて入賞の確率（又は可否）を変化させることによって、パチンコ機における遊技の興趣を一層増大させることができるのである。なお、このように、球の入賞確率を変化させた変動入賞役物については、例えば特許文献１，２に開示されている。
【０００６】
【特許文献１】特開２００７−１４４２２２号公報
【特許文献２】特開２００７−２４４６１７号公報
【発明の開示】
【発明が解決しようとする課題】
【０００７】
しかしながら、上記のような開閉羽根部材による開閉を行う変動入賞役物や開閉扉部材による開閉を行う変動入賞役物は、開閉部材が比較的大きくまたその動作も大きいため、遊技領域内において必要な面積も大きくなってしまうという問題がある。特に近年では、遊技領域内の略中央に配置される図柄表示装置の大型化が進んでいるので、変動入賞役物等の他の役物においては小型化が要求されている。
【０００８】
更に、開閉羽根部材や開閉扉部材は、その閉鎖動作において球を入賞させる方向に羽根部材や扉部材が傾きながら閉じていくので、閉鎖途中に入賞しかかった球が、そのまま開閉羽根部材や開閉扉部材によって入賞口へと押し込まれてしまって入賞してしまうという問題がある。本来入賞すべきでない球が、開閉部材の閉鎖動作の途中で入賞してしまうと、入賞率が設計値から外れてしまってパチンコホールが不利益を受けてしまう場合がある。なお、上記のように、開閉部材の閉鎖途中に意図せず入球口に入球した球又はそのような入球を総称して「不測の入球」と呼ぶこととする。
【０００９】
本発明は、上記の事情に鑑みて為されたもので、遊技領域内におけるスペース効率を向上させることができ、遊技領域における球の流下方向や流入開口への流入確率（入球率）の調整を容易とし、流下方向や入球率に対する設計意図を反映させ易い遊技機用の入球具等を提供することを例示的課題とする。
【課題を解決するための手段】
【００１０】
上記の課題を解決するために、本発明の例示的側面としての遊技機用の入球具は、遊技領域を流下する球を流入させるための流入開口と、流入開口を進退してその進出状態において球が通過可能な通過開口を有する上側進退部と、上側進退部の下方に対向して配置されて流入開口を進退し、進出状態において通過開口を通過した球を受け面で受けて流入開口から流入可能とすると共に、退避状態において上側進退部と下側進退部とが協働して流入開口の実質的な開口寸法を球の直径未満とすることにより球を流入開口から流入不可とすることを特徴とする。
【００１１】
遊技領域を流下する球を受け面で受ける下側進退部が流入開口を前後方向に進退することにより、球を流入開口に流入可能としたり流入不可としたりするので、左右方向又は上下方向の占有面積を殆ど変化させずに入球確率を変化させることができ、比較的小面積で入球率（入球許容／入球阻止）の変更を実現することができて遊技領域内のスペース効率の向上に寄与することができる。
【００１２】
また、退避移動の途中で受け面に受け止められた球を入球させずに遊技領域に残し、そのまま遊技領域を流下させることができる。したがって、下側進退部の退避移動途中における不測の入球を有効に防止することができる。その結果、入球確率のバラツキを防止して、設計意図を的確に反映した入球確率変更を実現することができる。
【００１３】
上下２つの進退部を同期的に進退移動させるので、上下２つの進退部を逆位相的に進退移動させる（すなわち、上側進退部の進出に伴い下側進退部を退避させ、上側進退部の退避に伴い下側進退部を進出させる。）場合に比較して、構造を簡単にすることができる。逆位相で進退移動させる場合に必要なリンク機構等を必要としないので、部品点数や部品コストを低減することができ、また、組立て作業も簡単になってその効率も向上する。
【００１４】
退避状態における流入開口の実質的な開口寸法を、上下の進退部の協働により球の直径未満としているので、退避時に確実に球の流入開口への流入を阻止することができる。ここでいう実質的な開口寸法とは、流入開口自体の開口寸法のみならず、上下の進退部によって流入開口の一部が閉塞された場合における、その残開口領域の寸法を含む。
【００１５】
なお、ここにおいて遊技機とは、遊技媒体として球を用いてその流下による遊技を実現するものをいい、パロット機等を含むが、典型的にはパチンコ機を意味する。そして、この入球具は、パチンコ機において、普通入賞具、始動入賞具等として利用される。また、上側進退部と下側進退部とは、別々の進退部材である場合を含み、両者が連結されて一体化された場合及び両者が一体形成されている場合を含む。上下左右方向とは、この入球具が遊技機に配置された場合において、遊技者から見た上下左右方向を意味する。また、遊技機から遊技者に向かう方向が前方向であり、遊技者から遊技機に向かう方向が後方向である。
【００１６】
その遊技機用の入球具において、進退移動に際して上側進退部と下側進退部との対向距離を変化させ、進出状態において対向距離を球の直径より大きく、かつ、退避状態において対向距離を球の直径より小さくしてもよい。
【００１７】
例えば、退避移動の際に上側進退部と下側進退部とが近づき、進出移動の際に両者が遠ざかるようにして、退避状態での入球阻止と進出状態での入球許容とを実現することにより、進退移動を目立たせることができ、面白みを付加することもできる。
【００１８】
上側進退部が、球の通過開口への通過を補助する通過補助部を有していてもよい。
【００１９】
上側進退部が、球の通過開口への通過を補助する通過補助部を有しているので、流入開口への球の流入を補助する部材を別途用意する必要がない。したがって、部品点数及び部品コストの低減、組立工数の削減等に寄与することができる。なお、通過時補助部は、この入球具の近傍を流下する球を円滑に通過開口へと導くことを目的とするものであり、後述するように、例えば、この入球具の流入開口への入球確率を調整したり、入球具周囲での球詰まりを防止したりする機能を発揮する。
【００２０】
本発明の他の例示的側面としての遊技機は、上記の遊技機用の入球具と、遊技領域をその表面に画定する遊技盤と、遊技盤を遊技者にとって視認可能となるように保持する枠体と、遊技盤に対してその前方に一定距離以上離間して配置された前面透明板と、遊技領域に向けて球を発射する発射ユニットと、球を貯留する貯留皿と、を有することを特徴とする。
【００２１】
この遊技機は、上記の入球具を有しているので、比較的小面積で入球確率の変更を実現することができる。したがって、遊技領域内のスペース効率の向上に寄与することができ、例えば図柄表示装置等の遊技領域内に配置される他の装置の大型化や配置の自由度を高めることができる。遊技領域を流下する球の入球具への入球率の調整を容易とすることができ、不測の入球を防止して、設計意図を充分に反映させた遊技機とすることができる。ここで、遊技盤の表面は、前面（遊技者に対向する側の面）のみならず、後面（前面に対する裏面）をも概念として含む。
【００２２】
その遊技機が、遊技領域に設けられて球が入球可能な第１始動口を備えた第１始動入賞具と、第１始動口への入球に基き第１の遊技を実行する第１遊技手段と、流入開口への入球に基き第２の遊技を実行する第２遊技手段とを備え、第１始動入賞具と遊技機用の入球具とが遊技領域の正面視において左右方向同側に配置されていてもよい。
【００２３】
第１始動入賞具と上記の入球具とが遊技領域の正面視において左右方向同側に配置されているので、遊技者は、いわゆる右打ち・左打ちに打ち分ける必要なく、左右同側に球発射を続けることにより第１の遊技の発生も第２の遊技の発生も狙うことができる。この場合において、左右同側に第１始動入賞具と上記の入球具とが配置されているが、上記の入球具においては、受け面部材の前後進退移動によって、不測の入球が防止されている。したがって、遊技者が第１の遊技の発生を狙っている最中に、意図せず第２の遊技が発生してしまうのを防止することができる。
【００２４】
ここにおいて、第１遊技手段とは、第１の特別遊技としての図柄変動大当たり（後述）を実行するための手段を意味し、より具体的に例示すれば、第１始動口への入球に起因して第１抽選を行う第１抽選手段、その抽選結果の呈示を実行する抽選結果呈示手段、抽選結果に応じて第１大入賞口の開閉制御を実行する動作制御手段等を含む概念である。第２遊技手段とは、第２の特別遊技としての役物大当たり（後述）を実行するための手段を意味し、より具体的に例示すれば、流入開口への入球に基づき第２大入賞口の開閉制御を実行する動作制御手段を含む概念である。
【００２５】
なお、第１の遊技（１種大当たり又は図柄変動大当たりともいう。）と第２の遊技（２種大当たり又は役物大当たりともいう。）とを実現可能な遊技機として、例えば、後述する１種２種タイプのパチンコ機が概念できる。このような、１種２種タイプのパチンコ機に本発明を適用することにより、例えば、右側領域及び右打ち遊技を廃することができる。遊技領域のうち左側領域のみを用いて、意図しない２種大当たりを防止しつつ１種２種遊技を実現することができる。
【００２６】
本発明の更なる目的又はその他の特徴は、以下添付図面を参照して説明される好ましい実施の形態によって明らかにされるであろう。
【発明の効果】
【００２７】
本発明によれば、上側進退部及び下側進退部の同期的な進退移動により入球確率の変更を実現しているので、遊技領域内における省スペース化に貢献することができ、進退部材の退避移動中における不測の入球を防止することができる。
【発明を実施するための最良の形態】
【００２８】
［実施の形態１］
以下、本発明の実施の形態１について図面を用いて説明する。図１は、本発明の実施の形態１に係る遊技機としてのパチンコ機２の正面図である。このパチンコ機２は、枠体３、遊技盤ユニット５、前面ガラス（前面透明板）１０、装飾枠（前面枠）１２、発射ユニット（不図示）、貯留皿１４を有している。
【００２９】
なお、遊技機は、パチンコ機２の他にパロット機、アーケードマシン、各種ゲーム機、その他の球の流下による遊技を実現する遊技機を概念することができる。パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）とハネモノ遊技（２種遊技、役物遊技ともいう。）の両方の遊技を実現するいわゆる１種２種タイプのパチンコ機について例示説明する。なお、図柄変動遊技及び役物遊技については後述する。
【００３０】
パチンコ機２の枠体３は、後述する遊技盤ユニット５を内側に保持し、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側方及び前方又はそれらに加えて後方からのパチンコ機２内部への不正アクセスが防止されるようになっている。
【００３１】
枠体３は、例えば、最外郭に配置されてパチンコホールの遊技機設置島に取り付けられる筐体枠４、その筐体枠４に対して前後揺動可能に軸支され遊技盤ユニット５を保持する機枠９とを有して構成される。そして、その機枠９の前方には、前面ガラス１０とその周囲を装飾する装飾部材３２とを保持する装飾枠１２が配置される。なお、前面ガラス１０は、枠体３内部に保持された遊技盤６を前方から遊技者が視認することができるようにするための透明部材であるが、詳細は後述する。
【００３２】
遊技盤ユニット５は、遊技盤６とその遊技盤６の略中央に配置されたセンター役物７とを有して構成されている。その遊技盤６は、遊技盤面（表面）６ａに球（パチンコ球）２３の流下による遊技を実現するための遊技領域６ｂを構成するための盤状部材であり、遊技盤面６ａを前方から遊技者にとって視認可能となるように枠体３（本実施の形態１においては、枠体３の一部としての機枠９。）に保持されている。遊技盤面６ａには、略円形状に周囲を囲むようにレール飾り２６が取り付けられており、レール飾り２６の内周面（内側面）２６ａが遊技盤面６ａに対して立設するように配置されている。そして、その内側面２６ａによって画定され、内側面２６ａに面した略円形状の領域が遊技領域６ｂとなっている。
【００３３】
遊技領域６ｂには、ゲージ（障害釘）２７が配置されている。このゲージ２７は、遊技領域６ｂを流下する球２３と衝突してその流下方向を変更させるものであり、遊技領域６ｂ内に多数配置されている。また、遊技領域６ｂには、普通入賞口２８、第１始動口２９、第２始動口（図２参照）１６を備えた第２始動入賞具（遊技機用の入球具）１１、第１大入賞口３１、第２大入賞口８ａ、通過ゲート（通過領域）３３、風車３４等が配置されており、流下する球２３が各入賞口や始動口に流入したり、通過ゲート３３を通過したり、風車３４を回転させたりすることによって、球２３による流下遊技を楽しむことができるようになっている。
【００３４】
センター役物７は、遊技盤面６ａの略中央に配置されて図柄変動遊技や役物遊技を実現するものであり、主として第１の遊技における図柄表示を行う図柄表示装置７ａ及び主として役物遊技を実現するセンター飾り８を有している。
【００３５】
図柄表示装置７ａは、例えば、液晶表示装置・有機ＥＬディスプレイ・ＬＥＤ等により構成されて遊技者が遊技盤面６ａ側から視認可能となるように配置され、その表示画面（映像表示面）７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００３６】
図示しない球発射ユニットにより球２３が発射されると、球２３はレール飾り２６の内側面２６ａに沿いつつ進行して遊技領域６ｂ内の上部に至る。その後、球２３はゲージ２７に衝突しつつ遊技領域６ｂ内を下方に流下し、あるものは普通入賞口に入賞して一定数の景品球払出しの契機となり、あるものはいずれの入賞口にも流入せずに遊技領域６ｂ内最下部に位置するアウト口３０に流入してパチンコ機２の外部へと排出される。
【００３７】
図柄変動遊技中に球２３が第１始動口に流入すると、その流入に起因して第１の遊技発生のための第１抽選手段（第１遊技手段の一部）による第１抽選が開始される。それと共に、図柄表示装置７ａの表示図柄７ｃが回転表示を開始する。第１抽選の結果が当たりであれば、表示図柄７ｃが所定の図柄（例えば、「７・７・７」。）で停止表示し、図柄変動遊技における大当たり（第１の遊技。以下、図柄変動大当たりという。）が発生する。そして、第１大入賞口３１が開放して多量の入賞球を受け入れ、多量の景品球が貯留皿１４へと払い出されるようになっている。
【００３８】
センター飾り８は、図柄表示装置７ａの表示画面７ｂの周囲であって遊技盤面６ａ上に配置された樹脂製の造形体である。センター飾り８は、例えば表示画面７ｂの周囲を囲み、表示画面７ｂが遊技者に視認可能となるように配置されている。センター飾り８には、模様や色彩が付され、また、キャラクター等の造形が施されており、装飾的な演出効果を発揮するようになっている。
【００３９】
また、センター飾り８の一部には、球２３の流入可能な状態と流入不可能な状態とに状態変更可能（開閉可能）な第２大入賞口８ａが配置されている。この第２大入賞口８ａは役物遊技中において大当たり（第２の遊技。以下、役物大当たりという。）発生時に所定時間開放され、その開放時には球２３がセンター飾り８の内部へと流入可能とされている。一方、第２大入賞口８ａの閉鎖時にはセンター飾り８の内部への球２３の流入はできないようになっている。
【００４０】
センター飾り８の中央部に配置された図柄表示装置７ａは、奥行き方向において遊技盤面６ａよりもやや奥まって配置されている。その図柄表示装置７ａの前方部分には第２大入賞口８ａから流入した球２３を一定確率で入賞させることのできるＶ入賞口３５が配置されている。そのＶ入賞口３５に球２３が流入すると、第１大入賞口３１が開放して多量の入賞球を受け入れ、役物大当たり遊技を継続的に楽しむことができるようになっている。
【００４１】
センター飾り８は、この遊技盤面６ａの略中央やや右寄りに位置しており、遊技盤面６ａの正面視右側領域にはセンター飾り８の上部及び側部付近とレール飾り２６の内側面２６ａとによって球通路８ｂが形成されている。この球通路８ｂは球２３が１個宛通過することのできる通路寸法とされており、球通路８ｂを通過した球２３は、遊技領域６ｂの右下方近傍に至ってアウト口３０へと流入するようになっている。この球通路８ｂ部分以外の遊技領域６ｂは、遊技盤面６ａの左側から下方部分にかけて構成されている。
【００４２】
発射ユニットによって発射された球２３は、左側の遊技領域６ｂを流下しつつ、例えば通過ゲート３３を通過する。その通過ゲート３３の通過に起因して第２抽選手段による抽選が行われ、その抽選結果が当たりの場合に、第２始動入賞具１１が備える第２始動口１６が一定時間開放する。第２始動口１６は、閉鎖状態では球２３の流入が不可能とされているが、その開放中に球２３が第２始動口１６に流入すると、それに起因して役物大当たり遊技が発生し、第２大入賞口８ａが所定時間開放する。その開放時間中に、後続の球２３が第２大入賞口８ａ内に流入し、Ｖ入賞口３５に入賞すれば、第１大入賞口３１の開放により役物大当たり遊技の継続を楽しむことができるようになっている。
【００４３】
なお、ここにおいて、第２始動口１６の開放状態とは、後述する上ベロ部材（上側進退部）１８及び下ベロ部材（下側進退部）１９（いずれも、図２参照。）が進出した状態であって、第２始動口１６が球２３を流入可能な状態をいう。また、第２始動口１６の閉鎖状態とは、上下のベロ部材１８，１９が退避した状態であって、第２始動口１６が球２３を流入不可能な状態をいう。
【００４４】
以下、この第２始動口１６を備える第２始動入賞具１１の構成について詳細に説明する。
【００４５】
図２は、このパチンコ機２が有する第２始動入賞具１１の外観斜視図である。この第２始動入賞具１１は、ベースプレート１７、上ベロ部材１８、下ベロ部材１９、ソレノイド（駆動手段）２０、収納部２１、前板２４を有している。なお、図２（ａ）は、上下のベロ部材１８，１９が前方（図中Ｚ方向）に進出した状態を示し、図２（ｂ）は、後方（−Ｚ方向）に退避した状態を示している。また、図２（ａ），（ｂ）においては、第２始動入賞具１１の構造の理解容易のため、前板２４を想像線で示している。
【００４６】
ベースプレート１７は、この第２始動入賞具１１を遊技盤面６ａに取り付けるための取付けプレートである。このベースプレート１７には、上下のベロ部材１８，１９の進出状態において球２３を流入させるための第２始動口１６が開口形成されている。第２始動口１６は、略長方形状に開口形成されており、その縦寸法Ｈ及び横寸法Ｗは、それぞれ球２３の直径寸法Ｄ（図３参照）よりも大きい寸法とされている。
【００４７】
上ベロ部材１８は、第２始動口１６内を前後方向（±Ｚ方向）に進退移動する板状部材である。上ベロ部材１８は、進出状態において第２始動口１６から前方に突出する部分に、球２３を通過させるための通過開口１８ａを有している。そして、第２始動入賞具１１の上方から流下してきた球２３を、進出状態においてその通過開口１８ａに通過させ、下方に位置する下ベロ部材１９の受け面１９ａへと至らせるようになっている。
【００４８】
上ベロ部材１８の先端部分はＬ字形状に下方に屈曲された屈曲部１８ｂを有している。この屈曲部１８ｂは、退避状態における第２始動口１６の実質的な開口寸法を狭めるためのものである。また、必要に応じてこの屈曲部１８ｂの前面１８ｃには、画像や文字等の情報を表示したり装飾光を配置することもできるようになっている。上ベロ部材１８の進退移動を目立ち易くすることができ、遊技者の興趣向上に寄与することができる。
【００４９】
通過開口１８ａの周縁は、球２３が通過開口１８ａを通過し易いようにテーパ部（通過補助部）１８ｄとされている。このテーパ部１８ｄが、周囲から通過開口１８ａへと球２３を導くように傾斜し、通過開口１８ａへの球２３の通過を補助している。したがって、上ベロ部材１８の進出状態において、上ベロ部材１８と前板２４との間で球が挟まれて球詰まりを生じる虞が軽減されている。
【００５０】
本実施の形態１においては、第２始動口１６の前方に、補助プレートとしての前板２４を配置しているが、上ベロ部材１８がテーパ部１８ｄを有しているので、前板２４を不要とすることができる。その場合であっても、上ベロ部材１８と前面ガラス１０との間で球が挟まれて球詰まりを生じる虞が軽減されている。また、テーパ部１８ｄの大きさ、位置、傾斜角度を調整することにより、第２始動入賞具１１からどの程度離れた位置を流下する球２３を通過開口１８ａへと導くか、について調整することができるため、第２始動口１６への入球確率を調整することができる。
【００５１】
下ベロ部材１９は、上ベロ部材１８の下方に対向配置され、第２始動口１６内を前後方向（±Ｚ方向）に進退移動する板状部材である。下ベロ部材１９は、後述するソレノイド２０によって、上ベロ部材１８と同期的に進退移動を行う。すなわち、上ベロ部材１８の進出移動に伴って下ベロ部材１９も進出移動を行い、上ベロ部材１８の退避移動に伴って上ベロ部材１９も退避移動を行うようになっている。下ベロ部材１９は、その上面側に受け面１９ａを有しており、通過開口１８ａを通過した球２３を受け取って第２始動口１６内へと流入させるようになっている。
【００５２】
下ベロ部材１９の先端部分はＬ字形状に上方に屈曲された屈曲部１９ｂを有している。この屈曲部１９ｂは、退避状態における第２始動口１６の実質的な開口寸法を狭めるためのものである。また、必要に応じてこの屈曲部１９ｂの前面１９ｃには、画像や文字等の情報を表示したり装飾光を配置することもできるようになっている。下ベロ部材１９の進退移動を目立ち易くすることができ、遊技者の興趣向上に寄与することができる。
【００５３】
図３は、上下のベロ部材１８，１９の進出状態及び退避状態における第２始動口１６との位置関係を説明するための側方断面図であって、（ａ）は上下のベロ部材１８，１９の進出状態を示し、（ｂ）は上下のベロ部材１８，１９の退避状態を示す。この第２始動入賞具１１では、ソレノイド２０のプランジャ２０ａが前後方向（±Ｚ方向）に移動することにより、上ベロ部材１８及び下ベロ部材１９が連動して同期的に前後進退移動するように構成されている。
【００５４】
図３（ａ）に示す上下のベロ部材１８，１９の進出状態においては、遊技領域６ｂを流下した球２３は、通過開口１８ａを通過して受け面１９ａによって受け止められる。受け面１９ａは、後方に向けて下がり傾斜しており、受け取った球２３が迅速に後方の入賞経路２５へと送られるようになっている。
【００５５】
ここで、第２始動口１６の実質的な開口寸法Ｌ１は、図３（ａ）に示すように球２３の直径寸法Ｄよりも大きく設定されている。したがって、受け面１９ａで受けられた球２３は、円滑に第２始動口１６へと入球することとなる。
【００５６】
一方、図３（ｂ）に示す上下のベロ部材１８，１９の退避状態においては、通過開口１８ａが第２始動口１６の後方に位置している（より具体的には、必ずしも後方である必要はなく、通過開口１８ａの実質的な開口寸法が球２３の直径寸法Ｄよりも小さくなる位置まで退避すればよい。）ので、球２３は通過開口１８ａを通過して第２始動口１６へと流入することができない。一方、上ベロ部材１８の屈曲部１８ｂと下ベロ部材１９の屈曲部１９ｂとの協働により構成される開口Ｐの開口寸法Ｌ２は、球２３の直径寸法Ｄよりも小さく設定されている。この退避状態においては、この開口寸法Ｌ２が第２始動口１６の実質的な開口寸法であるが、この開口寸法Ｌ２が直径寸法Ｄよりも小さいので、球２３は、第２始動口１６に流入することができない。そのため、退避状態における確実な入球阻止が実現されている。
【００５７】
上下のベロ部材１８，１９を前後に進退移動させるだけで、球２３の第２始動口１６への流入の可否を変更することができるので、移動構造を簡単な構造にすることができる。そして、受け面１９ａ上に球２３が載った場合においても、下ベロ部材１９の退避移動に起因して、第２始動口１６へと押し入れるような外力を球２３に作用させない。退避移動に伴い、受け面１９ａは球２３を遊技領域６ｂへと残して流下させる。したがって、下ベロ部材１９の退避移動の途中に意図しない球２３を第２始動口１６内に流入させてしまったりする「不測の入球」を防止することができる。したがって、例えば、上下のベロ部材１８，１９の退避移動の途中に意図しない球２３を第２始動口１６内に流入させてしまったりする「不測の入球」を防止することができる。
【００５８】
ソレノイド２０は、上ベロ部材１８と下ベロ部材１９とを同期させて前後方向（±Ｚ方向）に進退移動させるための駆動手段である。ソレノイド２０は、上下のベロ部材１８，１９に連結されてその後方に配置され、収納部２１内に保持されている。その収納部２１は、ベースプレート１７の後方に取り付けられた収容部材であり、ソレノイド２０の他、ソレノイド２０と上下のベロ部材１８，１９とを連結する連結機構（不図示）等を内部に保持している。収納部２１内には、第２始動口１６から流入した球２３を検出する球通過センサも保持され、その球２３をパチンコ機２内の入賞球通路へと導く入賞経路２５が形成されている。
【００５９】
前板２４は、ベースプレート１７の前方に配置されて、球２３が第２始動口１６へ流入するのを補助するプレート部材である。前板２４は、補助経路を構成する側壁２４ａを有して構成され、第２始動入賞具１１の上方から流下してきた球２３を、進出状態の上ベロ部材１８の通過開口１８ａへと導く機能を有している。この前板２４が、例えば透明樹脂で形成されていれば、前板２４を通して遊技者が上下のベロ部材１８，１９の進退移動を視認することができる。したがって、斬新で面白みのある第２始動口１６の開閉動作を遊技者に対して視覚的に提供することができ、遊技者の興味を惹き付けることができる。なお、上ベロ部材１８がテーパ部１８ｄを有しているので、この前板２４を省略することも可能である。
【００６０】
前面ガラス１０は、遊技盤６に対して一定距離以上離間して配置された透明板である。前面ガラス１０は透明平板ガラスで形成されて装飾枠１２の裏面側に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００６１】
装飾枠１２は、主として遊技盤６の前方を囲む枠部材であり、機枠９の前方にヒンジ部２２によって前方開閉可能に揺動支持されている。装飾枠１２は、開口形成された開口部分に前面ガラス１０を保持し、その前面ガラス１０を通して遊技盤６を遊技者にとって視認可能としている。開口の周囲には、パチンコ機２を装飾し、遊技を演出するための装飾部材３２が配置されている。
【００６２】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００６３】
貯留皿１４は、遊技者の持ち球を貯留するためにパチンコ機２の前面に配置された皿部材であって、本実施の形態１においては上皿１４ａと下皿１４ｂとを有している。上皿１４ａの近傍に配置された球排出ボタン１４ｃを操作すると、上皿１４ａ内に貯留された球２３が下皿１４ｂへと排出されるようになっている。
【００６４】
次に、このパチンコ機２における遊技方法について簡単に説明する。なお、このパチンコ機２においては、遊技領域６ｂが主に遊技盤面６ａの左側及び下方部分に配置されており、第１始動口２９、第２始動口１６及び通過ゲート３３のいずれもが左側の遊技領域６ｂに配置されている。また、遊技開始時においては、下ベロ部材１８は退避状態にあり、第２始動口１６は閉鎖状態となっている。
【００６５】
＜図柄変動遊技＞
遊技者が、発射ハンドル１５を操作すると、球発射が行われ、球２３が発射レール（不図示）及びレール飾り２６の内側面２６ａに沿って発射されて遊技領域６ｂの上部へと至る。図柄変動遊技においては、遊技者は第１始動口２９への入賞を狙って左打ち（遊技領域６ｂの左側部分への球発射。）を行う。発射された球２３は内側面２６ａから落下を開始し、遊技領域６ｂを流下する。遊技領域６ｂを流下した球２３は、例えば普通入賞口２８に入賞したり、第１始動口２９に入賞したりする。
【００６６】
第１始動口２９へと球２３が流入すると、第１抽選手段による第１抽選（第１の遊技の抽選）が実行され、図柄表示装置７ａが表示図柄７ｃの回転表示（第１の遊技の抽選）を開始する。そして、第１抽選の結果が当たりとなり、所定の大当たり態様（例えば、「７・７・７」。）で表示図柄７ｃが停止表示されると、図柄変動大当たり発生となり、第１大入賞口３１が開放する。そして、多量の球２３が第１大入賞口３１へと流入し、多量の景品球が払い出される。
【００６７】
第１大入賞口３１の開閉動作が所定回数繰り返して行われ、その後に図柄変動大当りが終了する。図柄変動大当たりの表示図柄７ｃの停止態様は、例えば「２・２・２」、「６・６・６」「７・７・７」等のように複数の態様を有している。そのうちの一部の態様（例えば、「７・７・７」。）での図柄変動大当たり遊技が終了すると、その後に役物遊技が開始される。
【００６８】
＜役物遊技＞
役物遊技が開始されると、遊技者は通過ゲート３３への球２３の通過を狙い、図柄変動遊技の場合と同様に左打ちを行う。球２３が通過ゲート３３を通過すると、それに起因して第２抽選手段による第２抽選が行われる。その抽選結果が当たりの場合に、第２始動口１６における下ベロ部材１９が進退移動し、一定時間（例えば、１秒以下の短時間。）の第２始動口１６の開放状態を発生させる。
【００６９】
その下ベロ部材１９の進出状態において、球２３が通過開口１８ａを通過して受け面１９ａに受け止められ、第２始動口１６に入賞した場合には、役物大当たり遊技発生となり、第２大入賞口８ａが所定時間開放する。後続して遊技領域６ｂを流下する球２３が第２大入賞口８ａに流入し、センター役物７内に配置されたＶ入賞口３５に入賞すれば、役物大当たり遊技継続となって第１大入賞口３１が開放する。そして、多量の球２３が第１大入賞口３１へと流入し、多量の景品球が払い出されつつ役物大当たり遊技を継続して楽しむことができる。
【００７０】
なお、第１始動口２９、第２始動口１６及び通過ゲート３３がいずれも遊技盤面６ａの左側に配置される遊技領域６ｂに位置するため、図柄変動遊技中に通過ゲート３３に球２３が通過してしまう場合がある。そして、第２抽選手段による抽選結果が当たりになると、第２始動口１６における上下のベロ部材１８，１９が進退移動することとなる。
【００７１】
しかしながら、上下のベロ部材１８，１９の進退移動が、直線的な前後方向移動であるので、その退避移動の途中に球２３が受け面１９ａに載ったとしても、その球２３を第２始動口１６へと押し込むような外力を作用させない。退避移動の途中に受け面１９ａに載った球２３をそのまま遊技領域６ｂに残して流下させることができるので、いわゆる「不測の入球」を防止することができる。
【００７２】
また、退避時においては屈曲部１８ｂ，１９ｂが確実に入球阻止するので、この状態においても「不測の入球」を確実に防止することができる。その結果、第２始動口１６への入球確率を設計通りとすることができ、図柄変動遊技中における第２始動口１６への入球確率を、極めて低確率に設定することも可能となる。
【００７３】
以上、本発明の好ましい実施の形態を説明したが、本発明はこれらに限定されるものではなく、その要旨の範囲内で様々な変形や変更が可能である。上記実施の形態１においては、上ベロ部材１８と下ベロ部材１９とが各々別部材である場合について説明したが、例えば、図４にその変形例を示すように、球受け箱Ｂがソレノイドにより前後に進退移動させられるものであってもよい。この球受け箱Ｂは、その上面側が、通過開口１８ａ’が開口された上側進退部１８’として機能し、その下面側が、受け面（不図示）を有する下側進退部１９’として機能する。すなわち、上側進退部１８’と下側進退部１９’とが一体形成された構造となっている。
【００７４】
［実施の形態２］
図５は、本発明の実施の形態２に係る第２始動入賞具５１の側方断面図であって、（ａ）は上下のベロ部材５８，５９の進出状態を示し、（ｂ）は上下のベロ部材５８，５９の退避状態を示す。この第２始動入賞具５１においては、進出状態における下ベロ部材５９が第２始動口５６の下縁面５６ｂの高さ位置近傍にあって開口Ｐ２を広くとり、退避するに従い下ベロ部材５９が上方に移動して開口Ｐ２の開口寸法を狭めるようになっている。
【００７５】
より具体的には、下ベロ部材５９の下面５９ｂに凸部５２が設けられ、第２始動口５６の下縁面５６ｂに凹部５３が形成されている。そして、下ベロ部材５９の進出状態では、凸部５２が凹部５３に嵌合し、下ベロ部材５９が下方に下がって開口Ｐ２が広がるようになっている。そして、下ベロ部材５９が後方に退避すると、凸部５２が下縁面５６ｂに乗り上げるように凹部５３から外れ、伴って下ベロ部材５９が上方に移動し、その結果、開口Ｐ２が狭まることとなる。
【００７６】
この実施の形態２においては、上ベロ部材５８と下ベロ部材５９とは互いに平行に配置された平板部材であり、両者の対向距離が開口Ｐ２の開口寸法に相当する。つまり、進退移動によって、上ベロ部材５８と下ベロ部材５９との対向距離が変化するように構成されている。
【００７７】
下ベロ部材５９の進出状態における開口Ｐ２の開口寸法Ｌ１（対向距離であって、実質的な第２始動口５６の開口寸法。）は球２３の直径寸法Ｄより大きく設定されている。したがって、通過開口５８ａを通過して受け面５９ａで受けられた球２３は、円滑に第２始動口５６へと入球する。しかしながら、下ベロ部材５９の退避状態における開口Ｐ２の開口寸法Ｌ２（対向距離であって、実質的な第２始動口５６の開口寸法。）は、球２３の直径寸法Ｄより小さく設定されている。したがって、この退避状態において開口Ｐ２から第２始動口５６への入球が確実に阻止される。
【図面の簡単な説明】
【００７８】
【図１】本発明の実施の形態１に係るパチンコ機の正面図である。
【図２】図１に示すパチンコ機が有する第２始動入賞具の外観斜視図であって、（ａ）は、上下のベロ部材が前方に進出した状態を示す図であり、（ｂ）は、上下のベロ部材が後方に退避した状態を示す図である。
【図３】図２に示す上下のベロ部材の進出状態及び退避状態における第２始動口との位置関係を説明するための側方断面図であって、（ａ）は上下のベロ部材の進出状態を示し、（ｂ）は上下のベロ部材の退避状態を示す。
【図４】本発明の変形例に係る第２始動入賞具の外観斜視図である。
【図５】本発明の実施の形態２に係る第２始動入賞具の側方断面図であって、（ａ）は上下のベロ部材の進出状態を示し、（ｂ）は上下のベロ部材の退避状態を示す。
【符号の説明】
【００７９】
Ｂ：球受け箱
Ｄ：直径寸法
Ｈ：縦寸法
Ｌ１，Ｌ２：開口寸法
Ｐ，Ｐ２：開口
Ｗ：横寸法
Ｚ：矢印
２：パチンコ機（遊技機）
３：枠体
４：筐体枠（枠体の一部）
５：遊技盤ユニット
６：遊技盤
６ａ：遊技盤面（表面）
６ｂ：遊技領域
７：センター役物
７ａ：図柄表示装置
７ｂ：表示画面（映像表示面）
７ｃ：表示図柄
８：センター飾り
８ａ：第２大入賞口
８ｂ：球通路
９：機枠（枠体の一部）
１０：前面ガラス（前面透明板）
１１，５１：第２始動入賞具（遊技機用の入球具）
１２：装飾枠（前面枠）
１４：貯留皿
１４ａ：上皿
１４ｂ：下皿
１４ｃ：球排出ボタン
１５：発射ハンドル
１６，５６：第２始動口（流入開口）
１７：ベースプレート
１８，５８：上ベロ部材（上側進退部）
１８’：上側進退部
１８ａ，１８ａ’，５８ａ：通過開口
１８ｂ，１９ｂ：屈曲部
１８ｃ，１９ｃ：前面
１８ｄ：テーパ部（通過補助部）
１９，５９：下ベロ部材（下側進退部）
１９’：下側進退部
１９ａ，５９ａ：受け面
２０，６０：ソレノイド（駆動手段）
２０ａ，６０ａ：プランジャ
２１：収納部
２２：ヒンジ部
２３：球（パチンコ球）
２４：前板
２５：入賞経路
２４ａ：側壁
２６：レール飾り
２６ａ：内側面（内周面）
２７：ゲージ（障害釘）
２８：普通入賞口
２９：第１始動口
３０：アウト口
３１：第１大入賞口
３２：装飾部材
３３：通過ゲート（通過領域）
３４：風車
３５：Ｖ入賞口
５２：凸部
５３：凹部
５６ｂ：下縁面
５９ｂ：下面
【図１】
0005105532.tif 000002
【図２】
0005105532.tif 000003
【図３】
0005105532.tif 000004
【図４】
0005105532.tif 000005
【図５】
0005105532.tif 000006